(57)【要約】【課題】  エレキギターの部品として使用されるシンクロナイズド・トレモロ・ユニットは演奏者の奏法により使用しにくい場合があったり、演奏者の好みに合わない場合がある。【解決手段】  シンクロナイズド・トレモロ・ユニットの交換ユニットとして、エレキギターのボディ１に追加の加工を施さず取り付けることができ、外観上のデザインも大きく変えることの無い非シンクロナイズド方式（アーム８でブリッジサドル４を動かさずボールエンド１７を動かす方式）のトレモロ・ユニットを提供する。【選択図】図３
2007241208.tif 000002
【特許請求の範囲】
【請求項１】
エレキギター用のシンクロナイズド・トレモロ・ユニット（１９５６年米国特許−Ｃ．Ｌ．ＦＥＮＤＥＲ氏−図７）の交換ユニットとして、エレキギターのボディ（１）に追加工をほどこさずに取り付けることができ、また新規のギターにも部品として組み込むことのできる非シンクロナイズド方式トレモロ・ユニット。本文書にて使われる非シンクロナイズド方式とは、アーム（８）の操作によりブリッジサドル（５）を動かさず、ボールエンド（１７）を動かす方式と定義する。
【請求項２】
図５に示すように、弦を交換する時、弦（３）を通すのを容易にするために、ブリッジプレート（４）のブリッジプレート後端部（６）の長穴（１９）により、ブリッジサドル（５）をエスケープさせることのできる構造
【発明の詳細な説明】
【発明の詳細な説明】
【技術分野】
【０００１】  本発明は、弦楽器において弦の張力を変化させることにより音程を上下させビィブラート音を発生させる装置に関する。
【背景技術】
【０００２】  シンクロナイズド・トレモロ・ユニットやその改良型、また非シンクロナイズド方式の様々なビブラートユニットが製品化されている。
シンクロナイズド・トレモロ・ユニットの構造を参考として図７に示す。弦（３）のモーメントとバネ（１４）の引っ張り力のモーメントが固定ネジ（１０）を回転中心にして釣り合っている。アーム（８）はアームねじ部（３２）でボールエンドブロック（３３）に取り付けられている。演奏者がアーム（８）をボディ（１）側に手で押すことにより、固定ネジ（１０）が支点となり、ブリッジプレート（３１）のブリッジプレート先端部（３０）がナイフエッジになっていることにより、ブリッジプレート（３１）が回転動作をする。これにより、弦（３）のボールエンド（１７）が弦の張力が弱まる方向に動き、音程が下がる。アーム（８）から手を離すことによりバネ（１４）の引っ張り力により弦（３）のボールエンド（１７）が元の位置に戻り、音程が元に戻りビブラート効果音となる。この時、アーム（８）の操作によりブリッジサドルとボールエンド（１７）を同時（シンクロナイズド）に動かすことが特徴となっている。
【発明が解決しようとする課題】
【０００３】  図７のシンクロナイズド・トレモロ・ユニットでは、演奏者の奏法により使用しにくい場合がある。（例えば、弦を複音で鳴らして１音だけ音をチョーキングさせると他の弦の音程が変わる。）また、演奏者の好みに合わない場合もある。
【課題を解決するための手段】
【０００４】  シンクロナイズド・トレモロ・ユニットの外観のデザインを大きく変えることなく、またエレキギターのボディに追加工を施さずに取り付けることのできる非シンクロナイズド方式トレモロ・ユニットを提供する。
【発明実施の形態】
【０００５】  発明の実施の形態を実施例にもとづき図面を参照して説明する。
図１において、本発明の非シンクロナイズド方式トレモロ・ユニットをエレキギターに取り付けた例を示す。ネジ（１０）によってエレキギターのボディ（１）に固定されている。シンクロナイズド・トレモロ・ユニットの交換部品として使用する場合は、図７のシンクロナイズド・トレモロ・ユニットの支点となるネジ（１０）がそのまま図２の本発明の非シンクロナイズド方式トレモロ・ユニットを固定するネジ（１０）として使用することができ、ネジ穴を追加で加工する必要が無い。
【０００６】  図２は図１の２−２部分の矢視図である。弦（３）の張力のモーメントとバネ（１４）の引張り力のモーメントが軸（１３）を回転中心にして釣り合っている。アーム（８）の取り付け部（２２）は雄ネジになっていて、ボールエンドブロック（７）のネジ穴（２１）に取り付けられている。アーム（８）をボディ（１）側に手で押すことにより、ボールエンドブロック（７）が軸（１３）を中心に回転し、手をアーム（８）から離すと、バネ（１４）の引っ張り力によりボールエンドブロック（７）が元の位置に戻る。
【０００７】  図３は図２の３−３の矢視図である。バネ（１４）がボールエンドブロック（７）とバネフック（１５）に引っ掛けられている。バネフック（１５）はバネ圧調整ネジ（１６）でボディ（１）に止められており、バネ圧調整ネジ（１６）をねじ込むことにより、バネフック（１５）の位置を動かし、バネ圧の調整ができる。この部分はシンクロナイズド・トレモロ・ユニットと同様の構造である。
【０００８】図４は図１の４−４の矢視図である。弦（３）のボールエンド（１７）はボールエンドブロック（７）に止められとおり、ブリッジサドル（５）の上を通過して張られている。ブリッジサドル（５）の位置は、調節ネジ（１１）を回すことにより位置を調節できる。また、サドル高さ調節ネジ（１８）を回すことにより、ブリッジサドル（５）の高さを調節できる。回転軸（１３）は軸受け（１２）に固定されており、軸受け（１２）はボルト（２０）によりブリッジプレート（４）に固定されている。ブリッジプレート（４）の調節ネジ（１１）が取り付けられている部分の穴は長穴（１９）となっており、ブリッジプレート後端部（６）にかけて、途中で曲げられている。弦（３）を交換する時、弦（３）を通しやすくするため、長穴（１９）によりブリッジサドル（５）を上方にエスケープさせることができる。
【０００９】図５において、弦（３）を交換するときの弦（３）の通し方を示す。ブリッジサドル（５）を、長穴（１９）により、上方にエスケープさせており、弦を容易に通すことができる。図６はブリッジプレート（４）の斜視図である。長穴（１９）は途中で９０度に曲げられている。
【図面の簡単な説明】
【図１】  本発明の非シンクロナイズド方式トレモロ・ユニットをエレキギターに取り付けた例を示す。
【図２】  図１の２−２部分の矢視図である。
【図３】  図２の３−３部分の矢視図である。
【図４】  図１の４−４部分の矢視図である。
【図５】  弦（３）の通し方を示す図である。
【図６】  ブリッジプレート（４）の斜視図である。
【図７】  １９５６年米国特許のシンクロナイズド・トレモロ・ユニットの構造図である。
【符号の説明】
１    ボディ
２    ネック
３    弦
４    ブリッジプレート
５    ブリッジサドル
６    ブリッジプレート後端部
７    ボールエンドブロック
８    アーム
９    圧縮バネ
１０  ネジ
１１  調節ネジ
１２  軸受
１３  軸
１４  バネ
１５  バネフック
１６  バネ圧調整ネジ
１７  ボールエンド
１８  サドル高さ調節ネジ
１９  長穴
２０  ボルト
２１  ネジ穴
２２  取り付け部
３０  ブリッジプレート先端部
３１  ブリッジプレート
３２  アームネジ部
３３  ボールエンドブロック
【図１】
2007241208.tif 000003
【図２】
2007241208.tif 000004
【図３】
2007241208.tif 000005
【図４】
2007241208.tif 000006
【図５】
2007241208.tif 000007
【図６】
2007241208.tif 000008
【図７】
2007241208.tif 000009